(57)【要約】      （修正有）【課題】カードケース内に収納した定期券等を外部から視認不可能に収納しうるとともに、使用時においては、容易に定期券等のカード類を取り出すことができるカードケースを提供する。【解決手段】平板状の収納部本体１１と、上記収納部本体１１内に収納可能に形成され、カード状収納物を収納しうる平板状のカード保持部１２とにより形成されたカードケース１０であって、上記収納部本体１１と、カード保持部１２とは、夫々一の隅部に形成された係合部１４を介して回動可能に固定され、上記収納部本体１１には、上記カード保持部１２から上記カード状収納物を取出す際に把持しうる把持部１３が形成され、収納時においては、上記カード保持部１２に収納したカード状収納物が、外部から視認不可能に形成されている。【選択図】  図１
2007029334.tif 000002
【特許請求の範囲】
【請求項１】
平板状の収納部本体と、上記収納部本体内に収納可能に形成され、カード状収納物を収納しうる平板状のカード保持部とにより形成されたカードケースであって、
上記収納部本体と、カード保持部とは、夫々一の隅部に形成された係合部を介して回動可能に固定され、
上記収納部本体には、上記カード保持部から上記カード状収納物を取出す際に把持しうる把持部が形成され、
収納時においては、上記カード保持部に収納したカード状収納物が、外部から視認不可能に形成されていることを特徴とするカードケース。
【請求項２】
上記カード保持部は方形状であって、上記カード保持部には、カード状収納物を収納しうるように形成されたカードポケット部が形成され、
上記カードポケット部は、基材と、上記基材の側面に形成された側面材とにより、夫々３辺が溶着されて形成され、
残りの辺には、上記カード状収納物を上記カードポケット部に対し出し入れ可能に形成された収納開口部が形成されていることを特徴とする請求項１記載のカードケース。
【請求項３】
上記収納部本体には、上記カード保持部を出没可能に収納しうる開口部が設けられ、上記係合部が形成された隅部と対角する隅部において、収納された上記カード保持部の端部を外方から把持しうる開口切欠部が形成されていることを特徴とする請求項１又は請求項２記載のカードケース。
【請求項４】
上記収納部本体は、平板長方形状に形成され、
上記収納部本体には、収納時において、上記カード保持部を挟持して収納しうるように形成された収納部が形成され、
上記収納部は、表カバー材と、裏カバー材とにより形成され、
上記把持部は、上記開口切欠部が形成されている隅部の幅方向の反対側及び上記係合部が形成されている隅部の長さ方向の反対側に形成されていることを特徴とする請求項２又は請求項３記載のカードケース。
【請求項５】
上記側面材は、上記基材の表面側に配置された表面材と、上記基材の裏面側に配置された裏面材とにより形成され、
上記基材と表面材及び、上記基材と裏面材の夫々の間にカード状収納物を収納しうるように形成されていることを特徴とする請求項２又は請求項３記載のカードケース。
【請求項６】
上記側面材には、上記カードポケット部内に収納したカード状収納物を指で把持して取出可能に形成された切欠部が形成されていることを特徴とする請求項２又は５記載のカードケース。
【請求項７】
上記カード状収納物は、定期券であることを特徴とする請求項１乃至６記載のカードケース。
【発明の詳細な説明】
【技術分野】
【０００１】
本発明は、カードケースに係り、特にカードケース内に収納した定期券等を外部から視認不可能に収納しうるとともに、使用時においては、収納物を容易に取り出すことができるカードケースに関する。
【背景技術】
【０００２】
近年、小学生の誘拐事件等が多発しており、定期券を使用する生徒は、不審者からの名前の呼びかけに対し、不用意に返答しないように、外部から視認不可能に形成されている定期券ケースなどに収納して携帯している（特許文献１）。
【０００３】
上記定期券には、氏名や行き先等が記載されており、個人情報が特定されるため、大人であってもストーカー等の犯罪に巻き込まれるのを防止するために、定期券を外部から視認不可能に収納しうる定期券入れなどが使用されている。
【０００４】
また、上記定期券やクレジットカード等、多数のカード類を収納して携帯するために、回動収納式のカードホルダが使用されている（特許文献２）。上記カードホルダは、カバー板に収納され、一の隅部に設けられた止め具によって回動可能に枢着連結されている。
【特許文献１】実開昭６４−１５５３２号
【特許文献２】実登３１０７１２４号
【発明の開示】
【発明が解決しようとする課題】
【０００５】
上記特許文献１において、上記定期券ケースは、ランドセル等の鞄の保持ベルトに取り付けて使用されるものであり、使用時においては、駅やバスの改札員等に対し蓋部を開口して定期券の記載面を提示して使用されるものである。
したがって、上記特許文献１にかかる定期券ケースは、上記定期券ケースから定期券を取り出して、自動改札機等を通して使用することはできず、自動改札機が使用されることが当然の今日においては、上記特許文献１にかかる定期券ケースを使用することは適当でない。
【０００６】
また、特許文献２において、上記カードホルダの開口操作の際には、一方の手で定期券などのカードを収納したカードホルダを把持して、他方の手で上記カバー板を把持して、上記止め具を軸中心として回動操作を行うことによりカードホルダの開口を行うものであるが、上記カードホルダは、上記カバー板により挟持されて保持されているため、上記カードホルダを容易に上記カバー板から取り出すことはできない。
【０００７】
また、特許文献２にかかるカードホルダは、外部から視認不可能な構造に形成されていないことから、上記カードホルダ内に収納した定期券等のカード状収納物は、悪意ある第三者により外部から閲覧されてしまい、犯罪に巻き込まれてしまうおそれがある。
【０００８】
そこで本発明が解決しようとする課題は、カードケース内に収納した定期券等を外部から視認不可能に収納しうるとともに、使用時においては、容易に定期券等のカード類を取り出すことができるカードケースを提供する。
【課題を解決するための手段】
【０００９】
このような技術的課題解決のため、請求項１記載の発明は、平板状の収納部本体と、上記収納部本体内に収納可能に形成され、カード状収納物を収納しうる平板状のカード保持部とにより形成されたカードケースであって、上記収納部本体と、カード保持部とは、夫々一の隅部に形成された係合部を介して回動可能に固定され、上記収納部本体には、上記カード保持部から上記カード状収納物を取出す際に把持しうる把持部が形成され、収納時においては、上記カード保持部に収納したカード状収納物が、外部から視認不可能に形成されていることを特徴とする。
したがって、請求項１記載の発明にあっては、上記カードケース内に定期券等のカード状収納部を収納して使用することができ、上記カード保持部は、カードケースに対し係合部を介して回動して固定され、上記把持部を把持して上記カード状収納物を取出すことができる。
【００１０】
請求項２記載の発明は、上記カード保持部は方形状であって、上記カード保持部には、カード状収納物を収納しうるように形成されたカードポケット部が形成され、上記カードポケット部は、基材と、上記基材の側面に形成された側面材とにより、夫々３辺が溶着されて形成され、残りの辺には、上記カード状収納物を上記カードポケット部に対し出し入れ可能に形成された収納開口部が形成されていることを特徴とする。
したがって、請求項２記載の発明にあっては、上記収納開口部を介してカード状収納物を上記カードポケット部に収納することができる。
【００１１】
請求項３記載の発明は、上記収納部本体には、上記カード保持部を出没可能に収納しうる開口部が設けられ、上記係合部が形成された隅部と対角する隅部において、収納された上記カード保持部の端部を外方から把持しうる開口切欠部が形成されていることを特徴とする。
したがって、請求項３記載の発明にあっては、上記開口部を介して上記カード保持部を収納することができると共に、上記開口切欠部を介して上記カード保持部を外方から把持することができる。
【００１２】
請求項４記載の発明は、上記収納本体部は、平板長方形状に形成され、上記収納部本体には、収納時において、上記カード保持部を挟持して収納しうるように形成された収納部が形成され、上記収納部は、表カバー材と、裏カバー材とにより形成され、
上記把持部は、上記開口切欠部が形成されている隅部の幅方向の反対側及び上記係合部が形成されている隅部の長さ方向の反対側に形成されていることを特徴とする。
したがって、請求項４記載の発明にあっては、上記カード保持部は上記表カバー材と、裏カバー材とにより挟持して収納することができる。
また、上記把持部は、上記開口切欠部及び上記係合部と反対側の端部に形成されていることから、上記把持部を把持することにより上記収納部本体を把持し、上記開口切欠部を介してカード保持部を把持し、上記係合部により上記カード保持部を回動して収納本体部から取出すことができる。
【００１３】
請求項５記載の発明は、上記側面材は、上記基材の表面側に配置された表面材と、上記基材の裏面側に配置された裏面材とにより形成され、上記基材と表面材及び、上記基材と裏面材の夫々の間にカード状収納物を収納しうるように形成されている。
したがって、上記基材と表面材及び、上記基材と裏面材の夫々の間にカード状収納物を収納して携帯することができる。
【００１４】
請求項６記載の発明は、上記側面材には、上記カードポケット部内に収納したカード状収納物を指で把持して取出可能に形成された切欠部が形成されていることを特徴とする。
したがって、請求項６記載の発明にあっては、上記切欠部によりカード状収納物を移動して取出すことができるように形成されている。
【００１５】
請求項７記載の上記カード状収納物は、定期券であることを特徴とする。
したがって、定期券を上記カードケース内に収納することができるように形成されている。
【発明の効果】
【００１６】
本発明は、上記のように構成されているので、以下の効果を奏する。
請求項１記載の発明によれば、上記収納部本体には、カード保持部からカード状収納物を取出す際に把持しうる把持部が形成されていることから、使用時においては、上記把持部を把持することにより、カード保持部に収納されている定期券等のカード状収納物を容易に取出すことができる。
【００１７】
また、収納時においては、上記カード保持部に収納したカード状収納物が外部から視認不可能に形成されていることから、氏名や住所等が記載されている定期券等のカード状収納物の情報を不特定の者の目にふれない状態で収納して携帯することができる。
【００１８】
上記収納部本体とカード保持部とは、夫々一の隅部に形成された係合部を介して回動可能に固定されていることから、使用時においては、上記カード保持部を容易に上記収納部本体から取出すことができると共に、使用後においては、上記収納部本体内に収納することができる。
【００１９】
請求項２記載の発明によれば、上記カード保持部には、３辺が溶着されて形成されたカードポケット部が形成されていることから、上記カードポケット部内において、カード状収納物を安定して保持することができる。
また、残りの辺には、収納開口部が形成されていることから、上記収納開口部を介して容易にカード状収納物の取出し及び、挿入を行うことができる。
【００２０】
請求項３記載の発明によれば、上記カード保持部を外方から把持しうる開口切欠部が形成されていることから、上記開口切欠部を介して、上記カード保持部の端部を手指で把持して、引っ張り出すことにより、上記カード状収納物が収納されている上記カード保持部を上記収納部本体から容易に取出すことができる。
【００２１】
請求項４記載の発明によれば、上記カード保持部を上記収納部本体に収納した場合にあっては、カード状収納物が収納されたカード保持部は、上記表カバー材と裏カバー材とにより形成された収納部に挟持されて保持されることから、安定して収納することができる。
【００２２】
また、上記把持部は、上記開口切欠部が形成されている隅部の幅方向の反対側及び上記係合部が形成されている隅部の長さ方向の反対側に形成されていることから、上記把持部を把持することにより上記収納部本体を把持し、上記開口切欠部を介してカード保持部を把持し、上記係合部により上記カード保持部を回動することにより、上記カード保持部の取出しを容易に行うことができる。
【００２３】
請求項５記載の発明によれば、上記側面材は表面側に配置された表面材と、裏面側に配置された裏面材とにより形成されていることから、上記表面側のみならず、裏面側においても、カード状収納物を収納することができる。
【００２４】
請求項６記載の発明によれば、上記切欠部を介してカード状収納物を移動させることにより、上記カード状収納物を上記カードポケット部から容易に取出すことができる。
【００２５】
請求項７記載の発明によれば、定期券をカード保持部に収納することにより、外部から視認不可能に収納しうるとともに、定期券の使用時においては、上記係合部を介して回動することにより、容易に取出して使用することができる。
【発明を実施するための最良の形態】
【００２６】
以下、添付図面に示す実施の形態に基づき、本発明にかかるカードケースに説明する。
【００２７】
本実施の形態に係るカードケース１０は、図１〜図３に示すように、平板状の収納部本体１１と、上記収納部本体１１内に収納可能に形成され、カード状収納物３５を収納しうる平板状のカード保持部１２とにより形成されたカードケース１０であって、上記収納部本体１１と、カード保持部１２とは、夫々一の隅部３８に形成された係合部１４を介して回動可能に固定され、上記収納部本体１１には、上記カード保持部１２から上記カード状収納物３５を取出す際に把持しうる把持部１３が形成され、収納時においては、上記カード保持部１２に収納したカード状収納物３５が、外部から視認不可能に形成されている。
【００２８】
また、図１、図２に示すように、上記カード保持部は方形状であって、上記カード保持部１２には、カード状収納物３５を収納しうるように形成されたカードポケット部２２ａ，２２ｂが形成され、上記カードポケット部２２ａ，２２ｂは、基材１８と、上記基材１８の側面に形成された側面材２３（２３ａ，２３ｂ）とにより、夫々３辺が溶着されて形成され、残りの辺には、上記カード状収納物３５を上記カードポケット部２２ａ，２２ｂに対し出し入れ可能に形成された収納開口部２４ａ，２４ｂが形成されている。
【００２９】
また、上記収納部本体１１には、上記カード保持部を出没可能に収納しうる開口部４１が設けられ、上記係合部１４が形成された隅部３８と対角する隅部３９において、収納された上記カード保持部１２の端部を外方から把持しうる開口切欠部１５が形成されている。
【００３０】
また、上記収納部本体１１は、平板長方形状に形成され、上記収納部本体１１には、収納時において、上記カード保持部１２を挟持して収納しうるように形成された収納部２１が形成され、上記収納部２１は、表カバー材１６と、裏カバー材１７とにより形成され、上記把持部１３は、上記開口切欠部１５が形成されている隅部３９の幅方向の反対側及び上記係合部１４が形成されている隅部３８の長さ方向の反対側に形成されている。
【００３１】
また、上記側面材２３は、上記基材１８の表面側２６に配置された表面材２３ａと、上記基材１８の裏面側２７に配置された裏面材２３ｂとにより形成され、上記基材１８と表面材２３ａ及び、上記基材１８と裏面材２３ｂの夫々の間にカード状収納物３５を収納しうるように形成されている
【００３２】
また、上記側面材２３（２３ａ，２３ｂ）には、上記カードポケット部２２ａ，２２ｂ内に収納したカード状収納物３５を指で把持して取出可能に形成された切欠部２９，３０が形成されている。また、上記カード状収納物３５は、定期券である。
【実施例】
【００３３】
図１、図２は本実施例にかかるカードケース１０を示したものである。
【００３４】
上記カードケース１０は、図１、図２に示すように、定期券等のカード状収納物３５を外部から視認不可能に収納するとともに、上記収納されたカード状収納物３５を係合部１４を介して容易に回動して取出すことができるカードケース１０として使用することができる。
【００３５】
図１、図２に示すように、上記カードケース１０は、全体略長方形状の薄型板状であって、不透明の軟質合成樹脂素材により形成され、定期券等のカード状収納物３５を収納して携帯しうる平面長方形状のカードケース１０として形成されている。
【００３６】
図１〜図３に示すように、上記カードケース１０は、収納部本体１１と、上記収納部本体１１内に収納可能に形成されたカード保持部１２とにより形成され、上記収納部本体１１とカード保持部１２とは夫々一の隅部３８に形成された係合部１４を介して、上記係合部１４を回動中心として、回動可能に固定されている。
【００３７】
図１、図２に示すように、上記収納部本体１１は、上記カード保持部１２を挟持して収納しうるように形成された収納部２１が形成されている。
【００３８】
図１、図２に示すように、上記収納部本体１１には、上記収納部本体１１から、上記カード保持部１２を取出す際に手指でつまんで把持しうる把持部１３が形成されている。
したがって、使用者は上記把持部１３を把持することにより、上記収納部本体１１から上記カード保持部１２を取出すことが容易となり、上記カード保持部１２内に収納されている定期券等のカード状収納物３５の取出しを容易に行うことができる。
【００３９】
図１、図２に示すように、上記収納部２１は、略平面長方形状に形成されている、不透明の軟質合成樹脂素材により形成され、表カバー材１６と、裏カバー材１７とにより形成されている。
【００４０】
上記表カバー材１６と、裏カバー材１７とにより形成された収納部２１は、上記カード保持部１２が収納された場合に上記収納開口部２４ａ，２４ｂに対向する一側辺３６と、上記係合部１４が形成されている隅部に隣接し、かつ上記一側辺３６に隣接する他側辺３７が溶着して形成され、上記溶着されていない残り２辺において、上記カード保持部１２を出没可能に収納しうる開口部４１が形成されている。
【００４１】
したがって、不透明の軟質合成樹脂素材により形成された表カバー材１６と、裏カバー材１７とにより形成された収納部２１内にカード保持部１２を収納することにより、上記カード保持部１２内に収納した定期券等のカード状保持部３５を外部から視認不可能な状態で保持することができ、氏名や住所等が記載されている定期券等のカード状収納物の情報を不特定の者の目にふれない状態で収納して携帯することができる。
【００４２】
図１、図２に示すように、上記係合部１４が形成されている隅部３８と対角する隅部３９には、上記カード保持部１２を上記収納部本体１１内に収納された上記カード保持部１２の端部を外方から手指でつまんで把持しうる開口切欠部１５が形成されている。
【００４３】
図１、図２に示すように、上記開口切欠部１５は、上記係合部１４と対角する位置の隅部３９において、上記収納部本体１１の長さ方向に沿って略四角形状に切欠きされて形成され、上記切欠き角度は、鈍角に形成されている。
したがって、使用者は上記開口切欠部１５を介して、上記カード保持部１２を手指で把持して、引っ張り出すことにより、上記カード状収納物３５が収納されている上記カード保持部１２を上記収納部本体１１から取出すことができる。
【００４４】
図１〜３に示すように、上記把持部１３は、上記開口切欠部１５が形成されている隅部３９の幅方向の反対側及び上記係合部１４が形成されている隅部３８の長さ方向の反対側において、上記収納部本体１１の幅方向に沿って延設され、略半円状に突出して形成されている。
【００４５】
図３に示すように、上記収納部本体１１に形成された収納部２１内にカード保持部１２が収納されている場合であっても、上記表カバー材１６と裏カバー材１７とにより形成された収納部本体１１において延設されている上記把持部１３においては、上記表カバー材１６と裏カバー材１７との間には、上記カード保持部１２が配置されない。
【００４６】
使用者は上記把持部１３を手指で把持した場合、上記カード保持部１２を挟持することなく、上記把持部１３のみを介して上記収納部本体１１を把持することができる。
したがって、上記収納部２１内に収納されている上記カード保持部１２を取出す際には、上記把持部１３を介して上記収納部本体１１を把持することにより、上記カード保持部１２の回動動作を阻害することなく取出すことができる。
【００４７】
図１、図２に示すように、上記カード保持部１２は、平面長方形状に形成され、上記収納部本体１１に形成された収納部２１に収納しうる長さ寸法及び、幅寸法に形成されている。
すなわち、図３に示すように、上記カード保持部１２の長さ寸法Ｌ１は、上記収納部本体１１の長さ寸法Ｌ２よりも短い長さ寸法に形成され、上記カード保持部１２の幅寸法Ｗ１は、上記収納部本体１１の幅寸法Ｗ２よりも狭い幅寸法に形成されている。
【００４８】
したがって、上記カード保持部１２は、上記収納部本体１１内に形成されている収納部２１に収納され、上記カード保持部１２内に収納されている定期券等のカード状収納物３５を外部から視認不可能な状態で上記カードケース１０において収納することができる。
【００４９】
図４に示すように、上記基材１８には、表面側２６に配置された表面材２３ａと、裏面側２７に配置された裏面材２３ｂとにより形成され、上記基材１８と表面材２３ａとの間及び、上記基材１８と裏面材２３ｂとの間に夫々の間にカード状収納物３５を収納しうるように形成されたカードポケット部２２ａ，２２ｂが形成されている。
【００５０】
図１、図２に示すように、上記カード保持部１２の幅方向一端部において、定期券等のカード状収納物３５を上記カードポケット部２２ａ，２２ｂに対して出し入れ可能に形成された収納開口部２４ａ，２４ｂが上記カード保持部１２の幅方向に沿って形成されている。
【００５１】
図１に示すように、上記表面側２６に形成されているカードポケット部２２ａは、平板長方形状の基材１８と、上記基材１８と略同幅寸法形状に形成され、上記基材１８の表面側２６に配置された表面材２３ａとを有している。
【００５２】
図１に示すように、上記表面材２３ａは、上記カードポケット部２２ａの収納開口部２４ａ側において、所定の間隔寸法Ｌ５だけ、上記基材１８が露呈されるように形成されている。
【００５３】
したがって、上記基材１８の表面側２６において、定期券等のカード状収納物３５を上記カードポケット部２２ａに収納する場合は、上記収納開口部２４ａ側の表面側２６において露呈して形成されている上記基材１８に対し、カード状収納物３５を当接させてから、上記基材１８に沿ってカード状収納物３５を案内させるようにして、上記カード状収納物３５を上記カードポケット部２２ａに挿入させることができる。
【００５４】
同様に、図２に示すように、上記裏面側２７に形成されているカードポケット部２２ｂは、平板長方形状の基材１８と、上記基材１８と略同幅寸法形状に形成され、上記基材１８の裏面側２７に配置された裏面材２３ｂとにより形成されている。
【００５５】
図２に示すように、上記裏面材２３ｂは、上記カードポケット部２２ｂの収納開口部２４ｂ側において、所定の間隔寸法Ｌ８だけ、上記基材１８が露呈されるように形成されている。
【００５６】
したがって、上記基材１８の表面側２６において、定期券等のカード状収納物３５を上記カードポケット部２２ｂに収納する場合は、上記収納開口部２４ｂ側の裏面側２７において露呈して形成されている上記基材１８に対し、カード状収納物３５を当接させてから、上記基材１８に沿ってカード状収納物３５を案内させるようにして、上記カード状収納物３５を上記カードポケット部２２ｂに挿入させることができる。
【００５７】
図１、図２に示すように、上記基材１８と表面材２３ａ、及び上記基材１８と上記裏面材２３ｂとは、夫々上記収納開口部２４ａ，２４ｂが設けられている一の幅方向端縁部４０ａと対向して設けられている他の幅方向端縁部４０ｂにおいて、上記幅方向側端縁部４０ｂから、所定の間隔寸法をおいて上記幅方向端縁部４０ｂと平行に形成されたカード当接部２８において互いに溶着して形成され、上記基材１８は、上記カード当接部２８から、上記カード保持部１２の上記収納開口部２４ａ，２４ｂ側の幅方向端縁部４０ａに至って形成されている。
【００５８】
図１、図２に示すように、上記基材１８と表面材２３ａ、及び上記基材１８と裏面材２３ｂとは、夫々上記カード保持部１２の長さ方向両端部において、ウェルダー溶着により溶着されている。
上記長さ方向両端縁部の溶着と、上記カード当接部２８における溶着とにより、上記基材１８の表面側２６に設けられているカードポケット部２２ａと、上記基材１８の裏面側２７に設けられているカードポケット部２２ｂとが形成されている。
【００５９】
図１に示すように、上記カードポケット部２２ａの長さ寸法Ｌ９は、上記カード状収納物３５の長さ寸法Ｌ１０より長い長さ寸法に形成され、上記カードポケット部２２ａの幅寸法Ｗ３は、上記カード状収納物３５の幅寸法Ｗ４よりも大きい幅寸法に形成されている。
したがって、定期券等のカード状収納物３５を上記カードポケット部２２ａにおいて収納することができる。
【００６０】
また、同様に図２に示すように、上記カード保持部１２の裏面側２７に形成されたカードポケット部２２ｂは、上記表面側２６と同一の寸法関係であることから、上記基材１８の表面側２６のみならず、裏面側２７においても定期券等のカード状収納物３５を収納しうるカードケース１０として使用することができる。
【００６１】
図１に示すように、上記表面材２３ａにおいて、上記係合部１４が形成されている隅部３８と対角の位置の隅部３９には、上記カード保持部１２の長さ方向に沿って設けられた略Ｕ字型の切欠部２９が形成されている。
【００６２】
上記カードポケット部２２ａ内に収納した定期券等のカード状収納物３５をカードケース１０から取出す際には、使用者は、上記切欠部２９を介して手指により上記カード状収納物３５を滑動させることにより、上記カードポケット部２２ａから上記カード状収納物３５を取出すことができる。
【００６３】
図１に示すように、上記側面材２３ａの上記切欠部２９の幅方向の反対側には、上記カード保持部１２の長さ方向に沿って形成された長孔部２５が形成されている。
【００６４】
上記カードポケット部２２ａ内に収納した定期券等のカード状収納物３５をカードケース１０から取出す際には、使用者は、上記取出し長孔部２５を介して手指により上記カード状収納物３５を滑動させることにより、上記カードポケット部２２ａから上記カード状収納物３５を取出すことができる。
【００６５】
また、上記切欠部２９に片方の親指を添えると共に、上記長孔部２５に他方の親指を添えることにより、両方の手指を用いて上記カードポケット部２２ａから上記カード状収納物３５を取出すことができ、両方の指を用いてカード状収納物３５の取出しを行うことができることから、より大きな力で容易に定期券等のカード状収納物３５の取出しを行うことができるカードケースとして使用することができる。
【００６６】
図２に示すように、上記裏面材２３ｂの上記収納開口部２４ｂ側には、上記カード保持部１２の幅方向中央部において、長さ方向に沿って設けられた略Ｕ字型の切欠部３０が形成されている。
【００６７】
上記カードポケット部２２ｂ内に収納した定期券等のカード状収納物３５をカードケース１０から取出す際には、使用者は、上記切欠部３０を介して手指により上記カード状収納物３５を滑動させることにより、上記カードポケット部２２ｂから上記カード状収納物３５を取出すことができる。
【００６８】
図１、図２に示すように、上記係合部１４は、上記収納部本体１１と上記カード保持部１２の一の隅部３９において孔部として形成され、これらの孔部が重ね合わさることにより上記係合部１４が形成され、上記収納部本体１１と上記カード保持部１２とは、上記係合部１４を介して回動可能に固定されている。
【００６９】
上記収納部本体１１の係合部１４には、上記表カバー材１６と、上記裏カバー材１７とを夫々挿通して上記係合部１４を補強しうるように形成された鳩目３１が固定されている。
【００７０】
図１〜図３に示すように、上記係合部１４には、上記鳩目３１を介して設けられたリング３２が形成され、上記リング３２には伸縮自在に形成されている螺旋状のストラップ３３と、上記ストラップ３３の先端に設けられているフック３４が設けられている。
【００７１】
したがって、上記フック３４を鞄などに引っ掛けることにより、上記ストラップ３３を介して上記カードケース１０を保持することができる。
【００７２】
上記カード保持部１２は、半透明であって、収納した名刺等のカード状収納物３５を外方から視認でき、上記収納部本体１１は、不透明であって、上記カード保持部１２を上記収納部本体１１内へ収納した場合には、外部から完全に視認できないように構成されている。
【００７３】
以下、添付図面に示す実施例に基づき、本発明に係るカードケース１０の作用について詳細に説明する。
上記カードケース１０は、図３に示すように、不透明な軟質合成樹脂素材により形成された収納部本体１１と、上記収納部本体１１内に収納可能に形成されている半透明のカード保持部１２とにより形成され、上記カード保持部１２を回動することにより、上記収納部本体１１内へ収納した場合には、定期券等のカード状収納物３５を外部から視認不可能に収納して携帯することができ、使用者は必要に応じて上記カード保持部１２を回動することにより、上記カード保持部１２を上記収納部本体１１から取出し、視認可能な状態にすることができるカードケース１０として使用することができる。
【００７４】
定期券の使用時においては、図３に示すように、上記収納部本体１１に形成されている把持部１３を一方の手指で把持し、他方の手指で上記開口切欠部１５を介して外部に露呈されているカード保持部１２を把持して引くことにより、図１に示すように上記カード保持部１２を、上記係合部１４を介して回動し、外方に取出すことができる。
【００７５】
上記カード保持部１２を上記収納部本体１１から取出した場合には、上記カード保持部１２は半透明素材により形成されていることから、必用に応じて上記カード保持部１２内に収納した定期券や名刺などの情報を外部に視認可能な状態で露呈させることができる。
【００７６】
上記カードポケット部２２ａ内に収納した定期券を上記カード保持部１２から取出す際には、使用者は、上記表面材２３ａに形成されている上記切欠部２９を介して手指により上記カード状収納物３５を滑動させることにより、上記カードポケット部２２ａから定期券を取出すことができる。
【００７７】
また、使用者は、上記表面材２３ａに形成されている上記長孔部２５を介して手指により定期券を滑動させることにより、上記カードポケット部２２ａから定期券を取出すことができる。
【００７８】
また、上記切欠部２９に片方の親指を添えると共に、上記長孔部２５に他方の親指を添えることにより、両方の手指を用いて上記カードポケット部２２ａから定期券を取出すことができることから、より大きな力で容易に定期券の取出しを行うことができる。
【００７９】
また、裏面側２７に形成されているカードポケット部２２ｂから定期券を取出す際には、図２に示すように、上記切欠部３０を介して手指により定期券を滑動させることにより、上記カードポケット部２２ｂから定期券を取出すことができる。
【００８０】
定期券の収納時においては、図１に示すように、上記収納開口部２４ａ側の表面側２６に露呈して形成されている基材１８に対し定期券の一端部を当接させ上記基材１８に沿って定期券を案内させることにより、収納開口部２４ａを介して、上記表面材２３ａと上記基材１８との間に形成されたカードポケット部２２ａ内に定期券を挿入して収納することができる。
【００８１】
上記カードポケット部２２ａ内に定期券を収納した後においては、定期券が収納された上記カード保持部１２を、上記係合部１４を介して回動することにより、上記カード保持部１２の長さ方向端部が、上記収納部本体１１において溶着されて形成されている他側辺３７に当接し、上記収納部本体１１内に収納することができる。
【００８２】
図３に示すように、上記収納本体部１１は不透明素材により形成されていることから、上記収納部本体１１内に上記カード保持部１２を収納した場合には、上記カード保持部１２内に収納した定期券や名刺などのカード状収納物３５に記載されている情報が外部から視認できない状態で収納して携帯することができる。
【００８３】
図３に示すように、上記収納部本体１１に収納された定期券は、上記カード保持部１２及び上記収納部本体１１により挟持され安定して保持され、また、上記収納開口部２４ａ，２４ｂが形成されている幅方向端縁部４０ｂ側においては、上記収納部本体１１において長さ方向に沿って溶着されている一側辺３６が溶着して形成されていることから、上記カード保持部１２内に収納されている定期券は、上記収納開口部２４ａ，２４ｂを介して脱落することがなく、上記収納部本体１１内において安定して保持することができる。
【産業上の利用可能性】
【００８４】
本件発明は、定期券等のカード状収納物を視認不可能に収納することができるカードケースとして使用することができるとともに、使用時においては容易に取出して使用することができるカードケースに適用できるものである。
【図面の簡単な説明】
【００８５】
【図１】図１は、本発明に係るカードケースの実施例を示し、カード収納部が開口した状態を示す全体表面図である。
【図２】図２は、本発明に係るカードケースの実施例を示し、カード収納部が開口した状態を示す全体裏面図である。
【図３】図３は、本発明に係るカードケースの実施例を示し、カード収納部を収納した状態を示す全体表面図である。
【図４】図４は、本発明に係るカードケースの実施例を示し、図３のA-A'断面におけるカード収納部の横断面図である。
【符号の説明】
【００８６】
１０    カードケース
１１    収納部本体
１２    カード保持部
１３    把持部
１４    係合部
１５    開口切欠部
１６    表カバー材
１７    裏カバー材
１８    基材
２１    収納部
２２ａ  カードポケット部
２２ｂ  カードポケット部
２３    側面材
２３ａ  表面材
２３ｂ  裏面材
２４ａ  収納開口部
２４ｂ  収納開口部
２５    長孔部
２６    表面側
２７    裏面側
２８    カード当接部
２９    切欠部
３０    切欠部
３１    鳩目
３２    リング
３３    ストラップ
３４    フック
３５    カード状収納物
３６    一側辺
３７    他側辺
３８    隅部
３９    隅部
４０ａ  幅方向端縁部
４０ｂ  幅方向端縁部
４１    開口部
Ｌ１    長さ寸法
Ｌ２    長さ寸法
Ｌ５    間隔寸法
Ｌ８    間隔寸法
Ｌ９    長さ寸法
Ｌ１０  長さ寸法
Ｗ１    幅寸法
Ｗ２    幅寸法
Ｗ３    幅寸法
Ｗ４    幅寸法
【図１】
2007029334.tif 000003
【図２】
2007029334.tif 000004
【図３】
2007029334.tif 000005
【図４】
2007029334.tif 000006